(57)【要約】  【課題】  熱風を強制的に供給して迅速且つ経済的に乾燥、仕上げ可能とする新規な構造からなる布団乾燥システム、およびそれを利用した新規な布団乾燥方法を提供する。  【解決手段】  乾燥室２床面２１下に送風空間２２を形成し、該床面２１に複数列配置開口した帯型通気口４の上方には、布団Ｆを鞍掛け状に跨ぎ掛け可能にした鞍掛け馬９を配すると共に、外気を送風空間２２に強制供給可能な送風装置７４を配した上、その送風途中に熱交換器３を併設してなる布団乾燥システム１である。【選択図】    図３
2005237876.tif 000002
【特許請求の範囲】
【請求項１】
床面下に所定深さの送風空間を形成してなる乾燥室を有し、該乾燥室床面には、所定間隔置きに送風空間内から乾燥室内へ通気、送風可能とする帯型通気口を複数列開口した上、各帯型通気口の上方には、夫々所定高さ位置に布団を鞍掛け状に跨ぎ掛け可能にし、且つ各帯型通気口上を包囲するようにして床面上に自立可能とするようにした骨格体からなる鞍掛け馬を配すると共に、当該乾燥室の一側に、外気を前記送風空間に強制供給可能とする送風装置を配した上、該送風装置の送風空間への送風途中適所に熱交換器を併設し、当該乾燥室外適所に該熱交換器に熱源エネルギーを供給可能とする熱源装置を設け、当該乾燥室に設けた排気口からは同乾燥室内の空気を室外に放出可能にしてなるものとしたことを特徴とする布団乾燥システム。
【請求項２】
床面下の略全面に渡って所定深さの送風空間を形成してなる乾燥室を有し、該乾燥室床面には、所定間隔置きに送風空間内から乾燥室内へ通気、送風可能とする帯型通気口を複数列開口した上、各帯型通気口の上側には、夫々乾燥室外に移動自在であって所定高さ位置に布団を鞍掛け状に跨ぎ掛け可能にし、且つ各帯型通気口上を包囲するようにして床面上に自立可能とするようにした骨格体からなる鞍掛け馬を配すると共に、当該乾燥室に対し各帯型通気口の長尺方向に略直交する方向に隣接、形成した送風室内に、外気を前記送風空間に強制供給可能とする送風装置を配した上、該送風装置の送風空間への送風途中適所に熱交換器を併設し、当該乾燥室外適所に該熱交換器に熱源エネルギーを供給可能とする熱源装置を設け、同乾燥室の天井付近に同乾燥室内の空気を均質攪拌する攪拌機構を設けると共に、当該乾燥室に設けた排気口からは同乾燥室内の空気を室外に放出可能となるようにした上、当該乾燥室の各帯型通気口の長尺方向に隣接する位置には、各鞍掛け馬を移動、収容した段階に、専ら各鞍掛け馬に係わる作業を実施可能とする作業室を併設してなるものとしたことを特徴とする布団乾燥システム。
【請求項３】
床面下の略全面に渡って所定深さの送風空間を形成してなる乾燥室を有し、該乾燥室床面には、所定間隔置きに送風空間内から乾燥室内へ通気、送風可能とした帯型通気口を複数列開口した上、各帯型通気口の上側には、夫々乾燥室外に移動自在であって所定高さ位置に布団を鞍掛け状に跨ぎ掛け可能にし、且つ各帯型通気口上を包囲するようにして床面上に自立可能とするようにした骨格体からなる鞍掛け馬を配すると共に、当該乾燥室に対し各帯型通気口の長尺方向に略直交する方向に隣接、形成した送風室内に、外気を前記送風空間に強制供給可能とする送風装置を配した上、該送風装置の送風空間への送風途中適所に熱交換器を併設し、当該乾燥室外適所に該熱交換器にスチームを循環、供給可能とする熱源装置を設け、該乾燥室の天井付近に設けた攪拌機構によって同乾燥室内の空気を均質攪拌すると共に、当該乾燥室に設けた排気口からは同乾燥室内の空気を室外に放出可能となるようにした上、当該乾燥室における各帯型通気口の長尺方向に隣接する位置には、適所に回転型乾燥機を配して、同乾燥室との境界を戸または扉等で密閉および開放可能に仕切り、各鞍掛け馬を移動、収容した段階に、専ら各鞍掛け馬に係わる作業と、回転型乾燥機による仕上げ乾燥とを実施可能とする作業室を併設してなるものとしたことを特徴とする布団乾燥システム。
【請求項４】
送風空間が、送風装置に近接する側の帯型通気口の送風下流側に、送風の一部を堰止め状として上方に向けて送風、案内可能とする案内翼板を乾燥室床下面下に垂下状あるいは送風空間床面上に立設状に固着してなる、請求項１ないし３何れか一項記載の布団乾燥システム。
【請求項５】
帯型通気口が、個別の開閉機構を有し、布団を装着した鞍掛け馬を上側に配した帯型通気口のみが送風、放熱するよう制御可能とする制御機構を有してなる、請求項１ないし４何れか一項記載の布団乾燥システム。
【請求項６】
鞍掛け馬が、下面の均衡する複数箇所の夫々に自在キャスターを設けたベース台座を有し、該ベース台座上に高さ調節機構を介して鞍掛け頂部を昇降調節および任意の高さに仮固定可能に設けた骨格体からなる、請求項１ないし５何れか一項記載の布団乾燥システム。
【請求項７】
頂部に乾燥対象となる布団の略中央部分を鞍掛け跨り状に被着した鞍掛け馬の複数台を、夫々乾燥室内の各帯型通気口上に設置し、熱源装置からの熱源エネルギーを熱交換器に供給すると共に、送風装置によって熱交換器を通じて送風空間内に強制的に外気を供給し、加熱された空気を各帯型通気口から乾燥室内に流入させ、各帯型通気口上に配置された夫々の鞍掛け馬中を通じて鞍掛けされた布団に熱風を吹き上げて通気させ、布団中の水分が９０％前後蒸発されるまで、連続的に送風乾燥を行い、送風を停止して布団を鞍掛け馬上から回収した後に、布団乾燥機に投入し、布団中の水分を略１００％除去する如く構成してなる、請求項１ないし６何れか一項記載の布団乾燥システムを利用した布団乾燥方法。
【請求項８】
頂部に乾燥対象となる布団の略中央部分を鞍掛け跨り状に被着した鞍掛け馬の複数台を、夫々乾燥室内の各帯型通気口上に移動、設置し、熱源装置からの熱源エネルギーを熱交換器に供給すると共に、送風装置によって熱交換器を通じて送風空間内に強制的に外気を供給し、加熱された空気を各帯型通気口から乾燥室内に流入させ、各帯型通気口上に配置された夫々の鞍掛け馬中を通じて鞍掛けされた布団に熱風を吹き上げて通気させ、布団を通過し乾燥室内に放出された熱風を、攪拌機構によって攪拌、均質化し、乾燥室内に供給された量に相当する空気を排気口を通じて自然放出させながら、布団中の水分が９０％前後蒸発されるまで連続的に送風乾燥を行い、送風を停止して布団を鞍掛け馬上から回収した後に、布団乾燥機に投入し、布団中の水分を略１００％除去する如く構成してなる、請求項１ないし６何れか一項記載の布団乾燥システムを利用した布団乾燥方法。
【発明の詳細な説明】
【技術分野】
【０００１】
この発明は、布団乾燥に関連するあらゆる分野をその技術分野とするものであって、布団の乾燥を業とするクリーニングの分野をはじめ、当該乾燥に係わる設備、器具類を製造、販売する分野から、それらに必要な資材、部品を提供する分野、それら資材、部品の加工に必要な機械、工具類を提供する分野、またそれら資材や機械装置、部品類に必要な素材、例えば木材、合板、プラスチック、各種金属材料を提供する分野、それらに組み込まれる電子分品やそれらを集積した制御機器の分野、各種計測器の分野、当該設備、器具を動かす動力機械の分野、そのエネルギーとなる電力やエネルギー源である電気、オイルの分野といった一般的に産業機械として総称されるような分野、更には、それら設備、器具類を試験、研究したり、それらの展示、販売、輸出入、ならびに使用する分野、将又、それら設備、器具類の運転に伴って発生するゴミ屑を回収、運搬する回収、輸送の分野、ゴミ屑を効率的に再生利用するリサイクル分野、あるいは現時点で想定できない新たな分野までと、関係しない技術分野はない程である。                                                            
【背景技術】
【０００２】
（視  点）
病院や各種養護施設、宿泊施設、保養施設等で使用済みとなる大量の布団は、経済的な豊かさだけではなく、衛生上の観点や国民的な衛生観念の昂揚も手伝って、一度特定人に使用済みのものは、直ぐさま専門の業者によるクリーニングに廻されてきれいに消毒された上、再び使用されるというのが一般的な取扱いとなっているだけではなく、マンション等に暮らす人を中心にした都市部に位置する一般家庭において使用する布団にあっても個々の家庭において布団を干せる環境が益々失われてきていると共に、核家族化に夫婦共働きという家庭環境の人達が増えていることも要因になって、最近では、専門の業者によるクリーニングを利用する傾向が強く、そうした傾向を受けて、従前までの所謂布団専門業者に加え、衣服等を中心に取り扱ってきたクリーニング業界でもその対策を迫られることになり、一般の洗濯物とはホリュームだけではなく構造を全く異にして、特にその乾燥を短時間に効率良く実施する手段の開発が急務となっている。
【０００３】
（従来の技術）
このような状況下に置かれている現状の専門業者や一般のクリーニング業界における業務用布団乾燥機は、その代表的なものとして、例えば、特開２０００−１５７７９５号公報に開示された、箱型の乾燥室内に布団、マットレス等の寝具類を静止状態で収容して乾燥可能とし、乾燥室内に乾燥風を供給する乾燥風供給手段と、寝具類の通気性を利用して寝具類に乾燥風を通過させ、寝具類を乾燥できるよう支持する支持手段とを有する「寝具類乾燥機」発明があり、また、特開２００１−２３９０９５号公報に記載のある「布団乾燥機」発明のように、内部に乾燥室を形成した機体の上部にガスバーナーを設け、乾燥室内に送風ダクトを配し、内底部に熱風吹出ダクトを設け、ガスバーナーからの熱風を乾燥室に送る送風ファンと、排熱風を乾燥室外に排出する排気ファンとを設け、乾燥室内の排気熱風を強制的に排出しつつガスバーナーで生成された熱風を乾燥室内に送給するようにしたもの等といった具合に、室内設置型のものが既に多数開発されている。
【０００４】
しかしながら、このような一般的な業務用布団乾燥機は、その本体が箱形に形成された上、室内に個別に設置、利用するものとして開発、製造されていることから、移動や設置が容易であるという利点を有する一方で、一度の乾燥作業によって乾燥処理できる布団の枚数が限定された少ないものであって、大量の布団を迅速に乾燥処理できる性能を有するものではなく、したがって、大量の布団を迅速に乾燥させようとすると、前述した従前までの業務用布団乾燥機を複数台準備して対応するしかなく、設備を整えるのに多大な経費を必要とするばかりでなく、メンテナンスにも労力と時間とを奪われて人件費が増大してしまう上、大量の布団を乾燥処理した場合であっても布団１枚当りの乾燥に要する経費を一向に削減することができないという欠点があった。                                                    
【特許文献１】（１）特開２０００−１５７７９５号公報    （２）特開２００１−２３９０９５号公報
【発明の開示】
【発明が解決しようとする課題】
【０００５】
（問題意識）
この発明は、以上のように、従来型の業務用布団乾燥機を用いて大量の布団を迅速に乾燥、処理しようとすると、複数台の乾燥機を設置する必要がある上に、それら個々の装置機械に作業者が必ず一人ずつ割り当てなければならないことになって、経済的な負担が大幅に増大して採算が取れなくなってしまうという欠点があるにも拘わらず、そのような重要な課題をこれまで長期に渡って放置したままにしてきたという事情に疑問を抱くことになった。
【０００６】
（発明の目的）
上記実情に鑑み、本願出願人は、大量の布団をはじめとする寝具類や、それらと同様の問題を抱える厚手の衣類やぬいぐるみといった被乾燥物を迅速且つ経済的に乾燥、処理可能にする乾燥技術を実現することはできないものかとの判断から、逸速くその開発、研究に着手し、長期に渡る試行錯誤と幾多の試作、実験とを繰り返してきた結果、今回、遂に新規な構造の布団乾燥システム、およびそれを利用した新規な布団乾燥方法を実現化することに成功したものであり、以下では、図面に示すこの発明を代表する実施例と共に、その構成を詳述することとする。                                                                                
【課題を解決するための手段】
【０００７】
（発明の構成）
図面に示すこの発明を代表する実施例からも明確に理解されるように、この発明に包含される布団乾燥システムは、基本的に次のような構成から成り立っている。
即ち、床面下に所定深さの送風空間を形成してなる乾燥室を有し、該乾燥室床面には、所定間隔置きに送風空間内から乾燥室内へ通気、送風可能とする帯型通気口を複数列開口した上、各帯型通気口の上方には、夫々所定高さ位置に布団を鞍掛け状に跨ぎ掛け可能にし、且つ各帯型通気口上を包囲するようにして床面上に自立可能とするようにした骨格体からなる鞍掛け馬を配すると共に、当該乾燥室の一側に、外気を前記送風空間に強制供給可能とする送風装置を配した上、該送風装置の送風空間への送風途中適所に熱交換器を併設し、当該乾燥室外適所に該熱交換器に熱源エネルギーを供給可能とする熱源装置を設け、当該乾燥室に設けた排気口からは同乾燥室内の空気を室外に放出可能にしてなる構成を要旨とする布団乾燥システムである。
【０００８】
この発明に包含される布団乾燥システムを、より具体的に示すと、床面下の略全面に渡って所定深さの送風空間を形成してなる乾燥室を有し、該乾燥室床面には、所定間隔置きに送風空間内から乾燥室内へ通気、送風可能とする帯型通気口を複数列開口した上、各帯型通気口の上側には、夫々乾燥室外に移動自在であって所定高さ位置に布団を鞍掛け状に跨ぎ掛け可能にし、且つ各帯型通気口上を包囲するようにして床面上に自立可能とするようにした骨格体からなる鞍掛け馬を配すると共に、当該乾燥室に対し各帯型通気口の長尺方向に略直交する方向に隣接、形成した送風室内に、外気を前記送風空間に強制供給可能とする送風装置を配した上、該送風装置の送風空間への送風途中適所に熱交換器を併設し、当該乾燥室外適所に該熱交換器に熱源エネルギーを供給可能とする熱源装置を設け、同乾燥室の天井付近に同乾燥室内の空気を均質攪拌する攪拌機構を設けると共に、当該乾燥室に設けた排気口からは同乾燥室内の空気を室外に放出可能となるようにした上、当該乾燥室の各帯型通気口の長尺方向に隣接する位置には、各鞍掛け馬を移動、収容した段階に、専ら各鞍掛け馬に係わる作業を実施可能とする作業室を併設してなるものとした布団乾燥システムであるということができる。
【０００９】
この発明に包含される布団乾燥システムを、さらに具体的に示すと、床面下の略全面に渡って所定深さの送風空間を形成してなる乾燥室を有し、該乾燥室床面には、所定間隔置きに送風空間内から乾燥室内へ通気、送風可能とした帯型通気口を複数列開口した上、各帯型通気口の上側には、夫々乾燥室外に移動自在であって所定高さ位置に布団を鞍掛け状に跨ぎ掛け可能にし、且つ各帯型通気口上を包囲するようにして床面上に自立可能とするようにした骨格体からなる鞍掛け馬を配すると共に、当該乾燥室に対し各帯型通気口の長尺方向に略直交する方向に隣接、形成した送風室内に、外気を前記送風空間に強制供給可能とする送風装置を配した上、該送風装置の送風空間への送風途中適所に熱交換器を併設し、当該乾燥室外適所に該熱交換器にスチームを循環、供給可能とする熱源装置を設け、該乾燥室の天井付近に設けた攪拌機構によって同乾燥室内の空気を均質攪拌すると共に、当該乾燥室に設けた排気口からは同乾燥室内の空気を室外に放出可能となるようにした上、当該乾燥室における各帯型通気口の長尺方向に隣接する位置には、適所に回転型乾燥機を配して、同乾燥室との境界を戸または扉等で密閉および開放可能に仕切り、各鞍掛け馬を移動、収容した段階に、専ら各鞍掛け馬に係わる作業と、回転型乾燥機による仕上げ乾燥とを実施可能とする作業室を併設してなるものとした布団乾燥システムということができる。
【００１０】
（関連する発明１）
上記した、布団乾燥システムに関連し、この発明には、それを利用した布団乾燥方法も包含している。
即ち、頂部に乾燥対象となる布団の略中央部分を鞍掛け跨り状に被着した鞍掛け馬の複数台を、夫々乾燥室内の各帯型通気口上に設置し、熱源装置からの熱源エネルギーを熱交換器に供給すると共に、送風装置によって熱交換器を通じて送風空間内に強制的に外気を供給し、加熱された空気を各帯型通気口から乾燥室内に流入させ、各帯型通気口上に配置された夫々の鞍掛け馬中を通じて鞍掛けされた布団に熱風を吹き上げて通気させ、布団中の水分が９０％前後蒸発されるまで、連続的に送風乾燥を行い、送風を停止して布団を鞍掛け馬上から回収した後に、布団乾燥機に投入し、布団中の水分を略１００％除去するように構成した、前記までのこの発明の基本をなす布団乾燥システムを利用した布団乾燥方法である。
【００１１】
この発明に包含される布団乾燥方法を、よい具体的に示すと、頂部に乾燥対象となる布団の略中央部分を鞍掛け跨り状に被着した鞍掛け馬の複数台を、夫々乾燥室内の各帯型通気口上に移動、設置し、熱源装置からの熱源エネルギーを熱交換器に供給すると共に、送風装置によって熱交換器を通じて送風空間内に強制的に外気を供給し、加熱された空気を各帯型通気口から乾燥室内に流入させ、各帯型通気口上に配置された夫々の鞍掛け馬中を通じて鞍掛けされた布団に熱風を吹き上げて通気させ、布団を通過し乾燥室内に放出された熱風を、攪拌機構によって攪拌、均質化し、乾燥室内に供給された量に相当する空気を排気口を通じて自然放出させながら、布団中の水分が９０％前後蒸発されるまで連続的に送風乾燥を行い、送風を停止して布団を鞍掛け馬上から回収した後に、布団乾燥機に投入し、布団中の水分を略１００％除去する如く構成した布団乾燥方法であるということができる。                                                                                                
【発明の効果】
【００１２】
以上のとおり、この発明の布団乾燥システムによれば、何よりも先ず、部屋全体を乾燥室とし、その中に複数枚の布団を鞍掛け状に装着した複数台の鞍掛け馬を収容し、各鞍掛け馬を床面に複数配列された帯型通気口上に配置させ、熱交換器によって加熱された外気を、床面下の送風空間を通じて強制的に送風する構造としたことから、帯型通気口上側を覆うように支持された各布団の下側から熱風を吹き付けて通過させ、一斉に乾燥させることができるため、１枚当りの乾燥に要する時間を大幅に短縮することができると共に、少ない台数の熱源装置や熱交換器および送風装置等で十分な乾燥が得られ、熱効率および送風効率に秀れ、しかも熱風が布団を通過することによって蒸発された水分は、排気口を通じて自然排気されることとなって乾燥室内の乾燥状態を保つことができ、熱源装置および送風装置等の外には殆どメンテナンスの必要がなくなり、従前までの室内設置型の布団乾燥装置のように一台毎の保守、点検や整備を必要とせず、維持、管理作業の工数を格段に削減することができるという秀れた特徴が得られるものである。
【００１３】
また、この発明の布団乾燥システムを利用した布団乾燥方法によれば、乾燥室内の床面に配列された複数の帯型通気口上の夫々に、布団を鞍掛け状に跨ぎ掛けた鞍掛け馬を配置し、熱交換器によって加熱された外気を、床面下の送風空間に強制的に供給し、各帯型通気口を通じて布団に吹き付けて通過させ、乾燥するようにしたことから、送風空間に供給される空気がムラ無く加熱されたものとなって、何れの帯型通気口であっても略同等の乾燥性能を確保することが可能となり、運転停止後においても送風空間内の空気は、しばらく高温状態を保つので、断続的な乾燥作業であっても、再起動直後から高い乾燥状態を確保することができ、短時間の中に乾燥を完了させて乾燥作業の効率を確実に高め、即日仕上げ等の迅速なサービスを実現可能とることができる上、熱損失を大幅に削減できて熱源エネルギーの使用量を格段に減少することが可能となり、しかも各帯型通気口が、床面下の送風空間を共有するので送風装置およびそれに併設する熱交換器の台数および出力を最小限度に抑えることが可能となり、燃料費や電気代を従来型の布団乾燥装置に比較して１／２ないし１／３にまでと大幅に節減することができるという非常に大きな効果を発揮することができることとなる。                                                                                
【発明を実施するための最良の形態】
【００１４】
上記したとおりの構成からなるこの発明の実施に際し、その最良もしくは望ましい形態について説明を加えることにする。
先ず、この発明の乾燥室は、洗浄後等の水分を多量に含んだ多数の寝具や日用品等を、収容可能であり、収容された多数の布団等を均質且つ効率的に乾燥可能とするよう、ある程度の密閉性を確保可能とする機能を果たすものであり、底面下の適所、望ましくは略全面に渡り、所定深さの送風空間を形成し、しかも床面には、送風空間からの空気を通過可能とする帯型通気口を複数列配置しなければならず、天井や側壁面等の適所には少なくとも一個の排気口を形成すべきであり、隣接する適所には、各帯型通気口上に配置される鞍掛け馬を移動して専ら各鞍掛け馬に係わる作業を実施可能とする作業室を併設したものとするのが望ましく、専用の建築物内に外の施設とは別に独立して設置されたものとすることができる外、工場や住居等の建築施設内の一部区画を専用利用して形成されたものとすることも可能であが、湿度の高い排気や、熱源装置や熱交換器から放出される熱や騒音等が、近隣の他の施設に、悪影響を及ぼさないよう設置したものとするのが望ましい。
【００１５】
送風空間は、乾燥室床面の複数適所に設置された各帯型通気口の下側から、乾燥室内へ強制的に外気を誘導して送り込み、帯型通気口上側に配置された鞍掛け馬に鞍掛け跨り状に被着された布団に対し、加熱された外気を連続的に吹き上げ、通気可能とする機能を果たし、乾燥室床面の所定間隔置きに配置された複数の帯型通気口の夫々に、略均質な圧力で外気を供給、可能とする形状としなければならず、床面間に枝分かれ状に形成された配管ダクトを巡らせ、各帯型通気口に対し略均等量の外気が供給されるものとすることが可能であるが、床面下の略全面に渡って所定深さ掘り下げ、空洞状に形成したものとするのが望ましく、その深さは、送風の妨げにならない程度の深さであって、しかも良好な風速および風圧を発生し、効率的な風の流れを形成し得る程度に比較的狭い上下寸法に設定するの良く、送風装置から遠く十分な風圧が得られない場所や渦流の発生等によって良好な送風が発生しない床下箇所に送風機を追加設置したり、あるいは、送風装置に近接する側の帯型通気口の送風下流側に、送風の一部を堰止め状として上方に向けて送風、案内可能とする案内翼板を乾燥室床下面下に垂下状あるいは送風空間床面上に立設状に固着してなるものとすることができる。
【００１６】
帯型通気口は、乾燥室の床面に所定間隔置きに複数配置されて、夫々の上側に鞍掛け馬を配置可能であって、送風空間から強制的に供給されてくる空気を、上方に配置された鞍掛け馬に装着された布団に向けて吹き付けるよう、乾燥室内に放出可能とする機能を果たすものであり、鞍掛け馬の脚部あるいはキャスター配置形状の内側に配置可能な形状、寸法に設定された開口形状としなければならず、平面長方形状の鞍掛け馬に対応し、ムラの無い送風を可能とする平面帯型形状とし、開口の略全体に落下防止用のグレーティングを設けたものとするのが望ましく、各通気孔に風向きを変更、調節可能なルーバーや開閉蓋等を配して、送風の向きや送風量を制御自在とする制御機構を設けたり、あるいは帯型長尺縁部分の双方に沿って鞍掛け馬のキャスター部分を案内可能とするレール状の案内溝を形成したものとすることができる。
【００１７】
案内翼板は、送風装置に近接して十分な風圧が得られない帯型通気口の送風下流側で、送風空間内を流れる風の一部を堰止め状とし、送風の上流側に位置する帯型通気口に加わる風圧を高める機能を果たすものであり、送風に対して前後何れかに傾斜したものや直角状姿勢となるものに形成することが可能であり、平面板状に限定されず、送風空間の上下何れか一方の内壁か、あるいは上下双方の内壁面から凸条をなすよう突出形成されたものとすることができ、先端縁で渦流を発生しないよう下流側背面に流線形状に延伸された案内壁面を形成したものとすることができる。
【００１８】
熱交換器は、乾燥室外の何れかに設置された熱源装置から供給される熱源エネルギーを受けて放熱し、送風装置によって送風空間内に強制的に供給される外気を、各帯型通気口に達する何れかの段階において十分に加熱可能とする機能を果たすものであり、通気構造と、発熱可能もしくは熱放出可能な構造とを兼ね備えたものとしなければならず、送風空間へ送り込まれる外気の入口付近に設置したものとすべきであり、通気面にニクロム線やステンレス線等の電熱体を均等配置させ、熱源装置からの電流を供給することによって発熱可能としたものや、あるいは、ガスや灯油等の各種燃料等によるバーナーやコンロを形成したものとすること等が可能であるが、熱効率や安全性等を考慮すると、蒸気を流通可能とした細いパイプを略全面に均等に張り巡らし、ボイラ等の熱源装置で加熱された熱源エネルギーとしての蒸気を循環させて放熱可能とし、複数設ける場合には個別に蒸気の供給を停止可能として必要となる熱交換器のみが放熱するよう制御自在とする制御機構を設けたものとするのが望ましい。
【００１９】
攪拌機構は、乾燥室内に供給された加熱空気を、同乾燥室内が全体に渡って略均質な湿度および温度に保たれるように攪拌し、布団の配置場所によって乾燥ムラや乾燥度合いの片寄りが発生しないよう制御可能とする機能を果たすものであり、乾燥室の天井の複数箇所や天井付近となる内側壁面の複数適所等に攪拌翼を設置したものや、あるいは、乾燥室内の空気をコンプレッサで圧縮し、天井面や上側壁面の複数適所に設置されたノズルから噴射して乾燥室内の空気を攪拌可能としたものとすることができる。
【００２０】
排気口は、乾燥室内の空気を自然排気可能とし、送風空間を通じた強制送風への抵抗を解消して効率的な送風を可能とすると共に、乾燥室内の湿気を外部に放出するという機能を果たし、乾燥室の排気効率の高い適所に開口すべきであり、乾燥室の天井付近となる側壁面に開口し、その外側には排気ダクトを設置したものとするのが望ましく、更に、同排気ダクト内に排気ファンを配したものとすることが可能である。
【００２１】
鞍掛け馬は、布団を鞍掛け跨り状に装着可能であり、帯型通気口の上側に配置可能であって、帯型通気口を通じて吹き付けられた熱風を妨げることなく円滑に通過させ、被着された布団の厚み方向に通気、可能とするという機能を果たし、各帯型通気口上に固定的に設置されたものとすることができる外、下面の均衡する複数箇所の夫々に自在キャスターを設けたベース台座を有し、該ベース台座上に高さ調節機構を介して鞍掛け頂部を昇降調節および任意の高さに仮固定可能に設けた骨格体からなるものとすることができ、中間棚やフック等を配して、座布団やぬいぐるみ、スニーカー、衣類等、布団やマットレス等とは形状の異なるものを保持して乾燥可能とすることが可能である。
【００２２】
熱源装置は、１個または複数個設置された熱交換器の夫々に、熱源エネルギーを供給可能とし、乾燥室内床面の帯型通気口上に配置された鞍掛け馬に装着した布団を迅速に乾燥し得る程度の温度に、送風空気を加熱可能とする機能を果たし、熱交換器が電熱線等を用いたものである場合には電源装置とし、ガスや灯油等の各種燃料による加熱の場合にはガスボンベや燃料タンクあるいは都市ガス配管等とその供給弁とすることができ、ラジエータ型あるいは熱交換パイプ型の熱交換器とした場合にはボイラおよび同ボイラに接続された蒸気供給用の配管等とすることが可能であり、ボイラから延伸されたスチーム用配管を各熱交換器に対し、略均質に加熱可能とするよう接続すべきであり、蒸気が冷やされて発生する熱湯や水等を回収し、循環利用可能とするドレン用配管も敷設したものとするのが望ましい。
【００２３】
送風室は、乾燥室床面下の送風空間に向けて強制的に外気を供給可能とする送風装置を収容し、送風装置が屋外に露出しないよう包囲すると共に、外気中に含まれる埃や虫等を送風中に巻き込むのを防止、可能とする機能を果たし、乾燥室に隣接して設置されたものとしなければならず、外気吸い込み用の濾過用の網またはフィルター等を装着した吸込み口を形成し、人や設置される送風ファンおよびモータ等を通過可能とする開閉扉を有する出入り口を形成すべきである。
【００２４】
作業室は、乾燥室内から撤去、移動した鞍掛け馬を収容可能とし、鞍掛け馬に布団を掛ける作業や、布団を取り去る作業を可能とし、更に、鞍掛け馬の高さ調節やメンテナンス作業等を可能とする室内空間を形成可能とする機能を果たし、少なくとも乾燥室内にある全ての鞍掛け馬を移動、収容可能とする広さを確保しなければならず、その外に必要に応じて仕上げ乾燥に使用される布団乾燥機の１台あるいは複数台を収容可能とするスペースを追加、確保可能とするのが望ましく、乾燥室との境界に開閉可能な扉や戸等を設置し、乾燥作業中においては密閉状に閉鎖し、乾燥作業の前後に鞍掛け馬を移動する際には、開放して乾燥室との間で通過可能とするのが望ましく、作業室から屋外あるいは隣接する別の部屋に出入りできる出入り口を形成することも可能である。
【００２５】
そして、この発明の布団乾燥システムを利用した布団乾燥方法においては、各帯型通気口毎に開閉制御機構を設けることにより、例えば、乾燥する布団の枚数に応じて一部の帯型通気口からの送風を停止させ、上側に鞍掛け馬を配した帯型通気口のみから加熱風を放出するよう制御することが可能なものとなり、また、鞍掛け馬には、布団やマットレス以外の、厚手の衣服やぬいぐるみ等の各種繊維製品も鞍掛け、あるいは適宜装着することによって乾燥、処理することが可能となる。
以下では、図面に示すこの発明を代表する実施例と共に、その構造について詳述することとする。                                                                                                
【実施例１】
【００２６】
図１の平断面化した布団乾燥システムの平面図、図２の正断面化した布団乾燥システムの正面図、図３の側断面化した布団乾燥システムの側面図、図４の鞍掛け馬の正面図、および図５の鞍掛け馬の側面図に示される事例は、床面２１下に送風空間２２を形成した乾燥室２を有し、該乾燥室２床面２１には、所定間隔置きに送風空間２２から乾燥室２内へ通気、送風可能とする帯型通気口４，４，……を複数列配置した上、各帯型通気口４，４，……の上方には、夫々所定高さ位置に布団Ｆ，Ｆ，……を鞍掛け状に跨ぎ掛け可能にし、且つ各帯型通気口４，４，……を包囲するようにして床面２１上に自立可能とした鞍掛け馬９，９，……を配すると共に、当該乾燥室２の一側に、外気を前記送風空間２２に強制供給可能とする送風装置７４，７４を配した上、該送風装置７４，７４の送風空間２２への送風途中適所に熱交換器３，３を併設し、当該乾燥室２外適所に該熱交換器３，３に熱源エネルギーを供給可能とする熱源装置を設け、当該乾燥室２に設けた排気口６からは同乾燥室２内の空気を室外に放出可能にしてなるものとした基本的構成からなるこの発明に包含される布団乾燥システム１における代表的な一実施例を示すものである。
【００２７】
当該布団乾燥システム１は、幅４，２１０ｍｍ、奥行が８，９２０ｍｍ、天井面までの高さが２，５００ないし４，０００ｍｍ程度に設定された室内壁面に囲まれ、床面２１下の略全面に渡り、３００ｍｍ前後の深さの送風空間２２を形成した乾燥室２を有し、当該乾燥室２の奥行方向の一側には、幅３，８００ｍｍ、奥行１，６００ｍｍ、天井面までの高さが２，０００ないし３，５００ｍｍ前後に設定された送風室７が、側壁面を隔て一体的に隣接されたものとされ、更に、同乾燥室２の幅方向の一側には、当該乾燥室２と略同程度か、それよりもやや大きい幅、奥行、ならびに床面から天井面までの高さ寸法に設定された作業室８が、大型の引き戸サッシュ８１，８１，……によって略全面を開閉可能とした隔壁８２によって仕切られ、一体的に隣接されたものとなっている。
【００２８】
乾燥室２床面２１の奥行方向に渡る範囲には、幅２５０ｍｍ前後、長さ３，０００ｍｍ程度の矩形帯状であって床下送風空間２２に面する下面から、乾燥室２内に面する上面に通気、送風可能とした帯型通気口４，４，……が、互いに５００ないし１，０００ｍｍ程度の奥行間隔を隔てて開口され、各帯型通気口４，４，……夫々の上面には脱着自在なグレーティング４１，４１，……が床面２１に面一状に装着されたものとなっている。
【００２９】
乾燥室２の天井面には、図３中に示すように互いに適宜間隔を隔てて複数の送風ファン５１，５１，……が設置され、乾燥室２中の空気を攪拌可能とする攪拌機構５が形成されていると共に、天井面付近の側壁面適所には排気ダクト６１を有した一辺が約５００ｍｍの四角形の排気口６が形成され、自然排気可能としている。
【００３０】
送風室７は、図１および図３中に示すように、屋外からの出入り口７１と、乾燥室２への出入り口７２とを有し、側壁面の所定高さ位置には、一辺が７００ないし８００ｍｍ前後の四角形の吸込み口７３を開口し、同吸込み口７３には塵埃や虫の侵入を阻止可能なフード網あるいは集塵フィルター等を装着し、望ましくは図示しない吸気用ダクトを設置するのが良く、同送風室７内の隣室床下の送風空間２２に対応する隅寄りの左右均等となる二箇所には、夫々毎時２０００立方メートル、４００Ｐａの外気（送風室７内空気）を強制的に供給可能とする送風装置７４，７４である多翼送風機が設置されており、夫々が駆動モータ７５，７５によって回転駆動されるようになっている。送風装置７４は、リミットロード型送風機、ターボ送風機、翼形送風機、貫流形送風機、管流形送風機等の遠心送風機とすることが可能である外、チューブ軸送風機や、ベーン軸流送風機等の軸流送風機とすることも可能である。
【００３１】
送風室７内の送風装置７４，７４と送風空間２２とを繋ぐ各送風路７６，７６の中途箇所には、乾燥室２の外側適所に設置された熱源装置としてのボイラを接続し、該ボイラから循環、供給されるスチームによって通過する外気を加熱し、熱風を送風空間２２内に供給可能とする熱交換器３，３が夫々設けられている。
図３中に示すように、送風空間２２の、送風装置７４，７４の最も近い帯型通気口４の送風下流側となる縁部付近からは、上下２５０ｍｍ前後の案内翼板２３が、同帯型通気口４の全長に渡って床面２１下面から垂下状に突設され、更に、その次に送風装置７４，７４に近い帯型通気口４と、その次に送風装置７４，７４に近い帯型通気口４との同所にも、夫々上下約２００ｍｍ前後、ならびに上下約１５０ｍｍ前後の、送風装置７４，７４から遠ざかるに従って上下寸法が短くなるよう設定された同様の案内翼板２３を垂下、突設したものとなっている。
【００３２】
作業室８は、図１中に示すように、乾燥室２に面する隔壁８２とは別の壁面の適所に出入り口８３を形成し、同作業室８内には、乾燥室２内に収容可能な複数台の鞍掛け馬９，９，……の全てを移動、収容可能なスペースを確保した上で、壁面８２とは反対側となる内壁面寄りの位置に、複数台のドラム型布団乾燥機８４，８４，……を設置したものとしており、更に、作業室８の内壁面適所には、乾燥室２内の湿度を自動計測可能であり、図示しないボイラ（熱源装置）、送風装置７４，７４、および送風ファン５１，５１，……を夫々自動的に制御可能とする制御装置ならびに、その制御装置を操作可能とするスイッチ類を設けた図示しないスイッチパネルを配したものとなっている。
【００３３】
鞍掛け馬９は、図４および図５中に示すように、帯型通気口４をその幅方向に跨ぐ左右幅が約５９０ｍｍに、また、帯型通気口４をその長さ方向に覆う全長が約３，０００ｍｍに設定された通気可能な水平矩形枠状であってその少なくとも四角下面の夫々に帯型通気口４を跨ぎ床面２１に接地可能な自在キャスター９３，９３，……が設けられたベース台座９２を有し、その全長両端の左右略中央から鉛直上方に向けて矩形パイプ状の固定支柱９５，９５が延伸、立設され、これら固定支柱９５，９５の上端には、鞍掛け馬９の全長に渡り、通気可能な円弧筒枠状に形成された鞍掛け頂部９６の両端下面中央付近から下向きに延伸された四角柱状の可動支柱９７，９７の下端を、上下進退自在に装着した上、固定支柱９５，９５の側面に貫通し、可動支柱９７，９７の上下複数箇所に穿孔された図示しない調節孔の何れかに位置決めピン９８，９８を挿し込み、適宜高さに仮固定可能として鞍掛け頂部９６の高さを自在に調節可能とする高さ調節機構９４を形成した骨格体９１から形成されたものとなっている。
【００３４】
（実施例の作用）
以上のとおりの構成からなるこの発明の布団乾燥システム１は、以下のとおり、この発明に包含される布団乾燥方法に使用することができるものである。
洗浄後にある程度の脱水を行うか、あるいは全く脱水を行わない状態の複数枚の布団Ｆ，Ｆ，……を、図１中に示す作業室８内に運び込み、鞍掛け馬９，９，……の夫々に、布団Ｆの中央付近を鞍掛け頂部９６に鞍掛け跨がり状に一枚ずつ、鞍掛け馬９の長さ方向に沿って並べるように被せ、乾燥室２内に自在キャスター９３，９３，……によって滑動移動させ、図３中に示すように、鞍掛け馬９，９，……夫々を、各帯型通気口４，４，……上に跨ぐように配置させた上、作業者は、図１中の作業室８側に移動して全ての引き戸サッシュ８１，８１，……を閉鎖し、図示しないスイッチパネルを起動操作すると、制御装置による自動制御が開始され、熱源装置である図示しないボイラが、熱交換器３，３にスチーム供給を始めると同時に、送風装置７４，７４による送風空間２２内への外気の強制的な供給が始まる。
【００３５】
送風装置７４，７４から強制的に供給された外気は、図１および図３中に二点鎖線矢印で示すように、各送風路７６，７６を通過する過程において熱交換器３，３を通り、十分に加熱されて送風空間２２中に流入し、さらに送風空間２２の奥行方向に移動して行くこととなる。
【００３６】
各案内翼板２３，２３，２３は、送風室７に近い帯型通気口４，４，……にも、それ以外の帯型通気口４，４，……を通過するのと略同等の空気圧を発生し、乾燥室２側に略等しい勢いの送風が、同図３中に破線白抜き矢印で示すように、噴出されるものとする。
【００３７】
図２中に示すように各帯型通気口４，４……を通じて乾燥室２内に噴出される空気は、スチームからの熱エネルギーを吸収して乾燥し、高温となっており、各帯型通気口４，４……上に跨ぎ配置された、図４および図５中に示す各鞍掛け馬９，９，……のベース台座９２の内側を通じて鞍掛け頂部９６を通過し、図３中に示すように、鞍掛け跨り状に装着された布団Ｆの肉厚方向に強制的に通過して乾燥室２中に放出され、その際に布団Ｆ中を加熱して布団Ｆ中に含まれている水分を万遍なく蒸発させることとなる。
乾燥室２内の空気は、高温多湿な状態となるが、攪拌機構５の送風ファン５１，５１，……によって攪拌され、室内の全体に渡って均質な湿度および温度に調整されると共に、排気ダクト６１を通じて排気口６から、水分を帯びた熱風を自然排気するので、布団Ｆ，Ｆ，……の乾燥状態に応じて次第に除湿され、乾燥室２壁面や天井面等に結露が発生することを阻止するものとなる。
【００３８】
制御装置およびスイッチパネルは、乾燥室２内の湿度および温度を自動計測しながら、布団Ｆ，Ｆ，……の乾燥状態を自動認識し、経験値に基づき布団Ｆ，Ｆ，……中の湿度の凡そ９０％が除去された時に、各熱交換器３，３へのスチームの供給を停止すると共に、送風装置７４，７４を停止させ、乾燥作業が終了したことを、作業室８に待機している作業員にランプの点灯やブザー音等で報知するか、あるいは、外の場所で別の作業をしている作業員に同様の報知を行い、知らせを受けた作業員が、引き戸サッシュ８１，８１，……を開放し、図１および図２中に実線白抜き矢印で示すように、各鞍掛け馬９，９，……諸共布団Ｆ，Ｆ，……を移動させ、作業室８内において各鞍掛け馬９，９，……から布団Ｆ，Ｆ，……を取り去り、同作業室８内にあるドラム型布団乾燥機８４，８４，……に次々に投入し、順次仕上げ乾燥を行ない略１００％乾燥させ、ふっくらと柔らかく仕上げた後に、取り出して布団Ｆ，Ｆ，……の一連の乾燥作業を終了するものである。
当該布団乾燥システム１と従来型布団乾燥装置とを実際に行った布団乾燥作業に基づいて性能比較すると、表１に示すとおりの結果が得られた。                                            
【表１】
2005237876.tif 000003
【００３９】
従来型の布団乾燥装置は、９０℃の乾燥温度に設定したときに、１枚の布団を乾燥するのに約５．８分を要したのに対し、当該布団乾燥システム１は、乾燥室２内の温度を７０℃に設定した場合に、１枚の布団を約３．５分で乾燥することができ、従来型布団乾燥装置は３６枚の布団を仕上げ乾燥するのに１２０分を要したが、布団乾燥システム１は、ドラム型布団乾燥機８４を用いるので２６枚の布団を９０分で仕上げ乾燥し終えることができた。また、布団１枚を乾燥するのに必要な重油量は、従来型が２．５９リットル必要だったのに対し、布団乾燥システム１は、１．５３リットルの使用で１枚の布団を乾燥させることができた。
【００４０】
また、乾燥作業によって得られた情報に基づき算出した１ヵ月分の経費を比較すると、次の表２に示すような結果となった。                                                          
【表２】
2005237876.tif 000004
【００４１】
従来型布団乾燥装置では、１ヵ月分の電気代が３８，７０８．５円であったのに対し、当該布団乾燥システム１は、７，８４６．５円となり、１ヵ月分の重油代は、従来型で１日に６２枚を乾燥し、２５日間稼働するものとすると１４８，９２５円、布団乾燥システム１は、１日に１０３枚を乾燥し、２５日間稼働するのに１５３，５５０円であり、従来型は２５日間で１，５５０枚乾燥するのに対し、布団乾燥システム１は、２５日間で２，５７５枚を乾燥させることが可能であった。
【００４２】
更に、１日あたり１０３枚の布団を乾燥する場合について比較してみると、表３に示すとおりの結果が得られた。
【表３】
2005237876.tif 000005
【００４３】
従来型の布団乾燥装置が、１日に１０３枚の布団を乾燥する場合の１ヵ月（２５日）間の重油使用量は、６，６７５リットルであり、その代金は凡そ２４６，９７５円となるのに対し、布団乾燥システム１は、４，１５０リットルとすることができ、代金も凡そ１５３，５５０円に抑えることができる。また、従来型を使用して１日に１０３枚の布団を乾燥して１ヵ月（２５日）間稼働するには、合計２５０時間を要するのに対し、布団乾燥システム１を使用すると合計１５０時間の稼働で済ませることができ、その際に必要となる電気代も、前述したように従来型で約３８，７０８．５円かかるのに対して当該布団乾燥システム１によれば、約７，８４６．６円に抑えることが可能となる。
【００４４】
（実施例の効果）
この上記実施例に取り上げた布団乾燥システム１は、上記した特徴に加え、乾燥室２に隣接して設置された作業室８で、鞍掛け馬９に係わる作業を行うことができるので、複数枚の布団Ｆ，Ｆ，……を作業室８に搬入し、効率的に鞍掛け馬９，９，……に鞍掛け状に跨ぎ掛けた後に、各鞍掛け馬９，９，……を、その自在キャスター９３，９３，……により、軽快に乾燥室２に移動させ、各帯型通気口４，４，……上に配置させることが可能となり、乾燥の準備作業を迅速且つ円滑に行うことができ、更に、乾燥を終えて布団Ｆ，Ｆ，……を回収する際にも、各鞍掛け馬９，９，……を作業室８まで移動した後に取り外すことができるので、乾燥処理前後の作業負担を削減し、比較的小人数の作業員であっても、大量の布団Ｆ，Ｆ，……を効率的に乾燥、処理することができ、しかも乾燥処理中は、外の作業を行うことができるので、乾燥動作中に作業員が布団供給の補助をしたり、監視していなければならない従来型の布団乾燥装置に比較して格段に高い作業性を確保することができる。
【００４５】
また、送風装置７４，７４によって送風空間２２中に外気を供給する初期段階に、熱交換器３，３を通過させて流入外気を十分に加熱してしまうことにより、送風空間２２内に、冷気が入り込むのを確実に防止して、各帯型通気口４，４，……から乾燥室２に放出される熱風の温度ムラを無くし、均質且つ効率的な乾燥を可能とすることができると共に、送風空間２２内に高温の空気のみを送り込むことで高い断熱、保温性を確保し、送風装置７４，７４や熱交換器３，３へのスチームの供給を停止した後にも暫くの間、乾燥室２内の乾燥を持続させることが可能となり、布団を次々に入れ替え投入して連続的に乾燥作業を繰り返す場合に、再起動当初から、高い乾燥性能を発揮するものとなって、より効率的な乾燥作業を実現可能とするものとなる。
【００４６】
（結  び）
叙述の如く、この発明の布団乾燥システム、およびそれを利用した布団乾燥方法は、その新規な構成によって所期の目的を遍く達成可能とするものであり、しかも製造も容易で、従前からの室内設置型の布団乾燥装置に比較して、設置費用を大幅に削減することができる上、稼働に要する経費も遥かに経済的なものとすることができ、作業効率自体も大幅に高めることができることから、費用の削減と乾燥処理時間の短縮化とを確実に達成可能にするものであり、迅速なクリーニング作業と上質な仕上がり、更に低価格なサービスが求められるクリーニング業界において高く評価され、広範に渡って利用、普及していくものになると予想される。                                                                                  
【図面の簡単な説明】
【００４７】
図面は、この発明の布団乾燥システム、およびそれを利用した布団乾燥方法の技術的思想を具現化した代表的な一実施例を示すものである。
【図１】布団乾燥システムを断面化して示す平面図である。
【図２】布団乾燥システムを断面化して示す正面図である。
【図３】布団乾燥システムを断面化して示す側面図である。
【図４】鞍掛け馬を示す正面図である。
【図５】鞍掛け馬を示す側面図である。
【符号の説明】
【００４８】
１      布団乾燥システム
２      乾燥室
２１    同  床面
２２    同  送風空間
２３    同  案内翼板
３      熱交換器
４      帯型通気口
４１    同  グレーティング
５      攪拌機構
５１    同  送風ファン
６      排気口
６１    同  排気ダクト
７      送風室
７１    同  出入り口
７２    同  出入り口
７３    同  吸込み口
７４    同  送風装置
７５    同  駆動モータ
８      作業室
８１    同  引き戸サッシュ（戸または扉等）
８２    同  隔壁
８３    同  出入り口
８４    同  ドラム型布団乾燥機（回転型乾燥機）
９      鞍掛け馬
９１    同  骨格体
９２    同  ベース台座
９３    同  自在キャスター
９４    同  高さ調節機構
９５    同  固定支柱
９６    同  鞍掛け頂部
９７    同  可動支柱
９８    同  位置決めピン
Ｆ      布団                                                                            
【図１】
2005237876.tif 000006
【図２】
2005237876.tif 000007
【図３】
2005237876.tif 000008
【図４】
2005237876.tif 000009
【図５】
2005237876.tif 000010